(57)【要約】【課題】窓材を液体に接触させて使用する赤外分光測定装置において、窓材と液体とを非接触にすることにより窓材の溶解を抑制し、測定感度及び測定信頼性を向上させる。【解決手段】本発明に係る赤外分光測定装置は、枠材と高分子膜によって形成されるセルと、セルの高分子膜と間隙設けて配置される窓材と、間隙に充填された高分子膜に対する溶解度の小さい媒質層と、を有する。  また、本発明に係る赤外分光測定方法は、枠材と高分子膜によって形成されるセルと、セルの高分子膜と間隙設けて配置される窓材と、間隙に充填された高分子膜に対する溶解度の小さい媒質層と、電気化学内セルに設けられる作用極、参照極及び対極を有する赤外分光測定装置のセルに液体を充填し、窓材から赤外光を入射し、出射する反射光を受光して分光測定を行う。【選択図】図１
2013217751.tif 000002
【特許請求の範囲】
【請求項１】
枠材と高分子膜によって形成されるセルと、
前記セルの前記高分子膜と間隙設けて配置される窓材と、
前記間隙に充填された前記高分子膜に対する溶解度の小さい媒質層と、を有する赤外分光測定装置。
【請求項２】
前記セルに設けられる作用極、参照極及び対極を備える請求項１記載の赤外分光測定装置。
【請求項３】
前記高分子膜は、ポリプロピレン、ポリエステル、及びポリテトラフルオロエチレンの少なくともいずれかを含み、１μｍ以上１００μｍ以下の厚さである請求項１記載の赤外分光測定装置。
【請求項４】
前記媒質層は、水、ヘキサン、四塩化炭素、ベンゼン、アセトン、エタノール、及びテトラクロロエチレンの少なくともいずれかを含む請求項１記載の赤外分光測定装置。
【請求項５】
前記窓材は、ＫＣｌ、ＮａＣｌ、ＫＢｒ、ＣａＦ２、ＢａＦ２、Ｓｉ、Ｇｅ、ＺｎＳｅ、及びＫＲＳ５のうちいずれかを含む請求項１記載の赤外分光測定装置。
【請求項６】
枠材と高分子膜によって形成されるセルと、前記セルの前記高分子膜と間隙設けて配置される窓材と、前記間隙に充填された前記高分子膜に対する溶解度の小さい媒質層と、前記電気化学内セルに設けられる作用極、参照極及び対極を有する赤外分光測定装置の前記セルに液体を充填し、
前記窓材から赤外光を入射し、出射する反射光を受光して分光測定を行う赤外分光測定方法。
【発明の詳細な説明】
【技術分野】
【０００１】
本発明は、赤外分光測定装置及びそれを用いた赤外分光測定方法に関する。
【背景技術】
【０００２】
電極表面のその場測定は、電極反応機構の解明や、電極反応の副反応の解明の実現などにつながる。電極表面の微細な情報を提供するものであり、電気化学の発展に大きく貢献する技術である。電極表面のその場測定方法として、サイクリックボルタンメトリーやインピーダンス測定等の電気化学的手法が挙げられる。
【０００３】
しかしながら、電気化学的手法により得られる情報は、電極の電位や電流、電極反応の可逆性・不可逆性等ごく限られたものであり、反応に関与する化学種の構造等に関した情報を得ることは極めて困難である。
【０００４】
ところで、分子結合状態や官能基、配向状態等、分子レベルでの表面構造解析を可能とする手法として、赤外分光測定がある。赤外分光測定は、他の分光法と比較して感度が高く、微量成分の解析も可能であり、電極表面における電極反応機構の解明や電極反応の副反応の解明等に大きく貢献する手法として期待されている。
【０００５】
具体的な赤外分光測定に関する技術としては、例えば、下記特許文献１乃至２がある。
【０００６】
例えば特許文献１には、プリズム表面に直接又は間隙を介して試料を導入し、赤外光がプリズム中を全反射することによって試料の吸収スペクトルを測定するセルにおいて、プリズム上に直接または１００μｍ以下の間隙を介して試料を担持した網状金属を設置したこと全反射プリズムセルが記載されている。
【０００７】
また、特許文献２には、前記プリズムの底面に溶解度の低い被覆膜を形成させ、窓材の溶解を防ぐ装置が記載されている。
【先行技術文献】
【特許文献】
【０００８】
【特許文献１】特開平７−２２９８２９号公報
【特許文献２】特開２００９−２５０８２０号公報
【発明の開示】
【発明が解決しようとする課題】
【０００９】
赤外反射分光測定において、測定感度は、測定対象の試料に対して赤外光を入射させるとともに、該試料から反射した反射光を透過させる窓材の光学特性に大きく左右される。
【００１０】
窓材に求められる光学特性としては、例えば、採用する赤外反射分光法に適した屈折率を有すること、測定波長領域における赤外光の透過性が高いこと等が挙げられる。
【００１１】
ところで、測定対象（被測定試料）が液体試料、液体中に浸漬させた固体試料又は液体中に捕捉された気体試料の場合、採用する赤外反射分光法によっては入射光及び反射光を透過させる窓材を上記液体と接触させなければならない場合がある。この場合において、窓材が上記液体に対して溶解性を有するものであると、上記液体に窓材が溶解し窓材成分が電極反応に影響を及ぼし、また、上記液体の組成変化又は窓材表面の形状変化等により赤外反射分光測定の感度や再現性等を低下させるおそれがある。したがって、窓材を液体に接触させる場合には、窓材の液体に対する溶解性も考慮しなければならない。
【００１２】
しかしながら、被測定試料及び採用する測定方法に対して、適した屈折率、波長透過域及び溶媒溶解性を全て併せ持つ窓材は非常に少なく、測定感度及び測定信頼性に優れた赤外分光測定を行うことは難しい。特に、接触液体が電解液であって、この電解液中で電気化学反応が起こる場合、電解液に接触する窓材の溶解は進行しやすい傾向がある。
【００１３】
そこで、本発明は上記実情を鑑みて成し遂げられたものであり、窓材を液体に接触させて使用する赤外分光測定装置において、窓材と液体とを非接触にすることにより窓材の溶解を防ぎ、測定感度及び測定信頼性を向上させることを目的とする。
【課題を解決するための手段】
【００１４】
上記課題を解決するための一観点にかかる赤外分光測定装置は、枠材と高分子膜によって形成されるセルと、セルの高分子膜と間隙設けて配置される窓材と、間隙に充填された高分子膜に対する溶解度の小さい媒質層と、を有することを特徴とする。
【００１５】
また、本発明の他の観点に係る赤外分光測定方法は、枠材と高分子膜によって形成されるセルと、セルの高分子膜と間隙設けて配置される窓材と、間隙に充填された高分子膜に対する溶解度の小さい媒質層と、電気化学内セルに設けられる作用極、参照極及び対極を有する赤外分光測定装置のセルに液体を充填し、窓材から赤外光を入射し、出射する反射光を受光して分光測定を行うことを特徴とする。
【発明の効果】
【００１６】
以上本発明によれば、窓材を液体に接触させて使用する赤外分光測定装置において、窓材と液体とを非接触にすることにより窓材の溶解を抑制し、測定感度及び測定信頼性を向上させることができる。
【図面の簡単な説明】
【００１７】
【図１】実施形態に係る赤外分光測定装置の概略を示す図である。
【図２】ＺｎＳｅ製の窓材を用いて実施したＰｔ電極に吸着した一酸化炭素の赤外スペクトル。
【発明を実施するための最良の形態】
【００１８】
以下、図面を用いて本実施形態に係る赤外分光測定装置（以下「本装置」という。）１について詳細に説明する。ただし、本発明は多くの異なる形態による実施が可能であり、以下に示す実施形態、実施例の例示にのみ限定されるわけではない。
【００１９】
図１は、本実施形態に係る赤外分光測定装置１の概略を示す図である。
【００２０】
本図で示すように、本装置１は、枠材と高分子膜４によって形成されるセル１と、セルの高分子膜４と間隙を設けて配置される窓材５と、この間隙に充填される高分子膜４に対する溶解度が小さい媒質層６と、セル内に設けられる作用極７、対極８及び参照極９、を有する。
【００２１】
本実施形態において、枠材は、セル２の側壁を形成する部材である。枠材の材質はこの中に被測定対象となる液体を充填した際、液体を保持することができるものであり、充填される液体と不必要な反応が起こらない限りにおいて限定されるわけではないが、例えばガラス、フッ素樹脂等を例示することができる。
【００２２】
本実施形態において、枠材は底部が空洞の筒状体となっているが、この底部には高分子膜４が配置され底部を覆っている。セル２はこれらの組み合わせにより、被測定対象となる液体を安定的に保持することができる。高分子膜４は枠材に接着固定されていてもよいが、枠材とは取外し自在に構成し、測定の際は枠材の端面に高分子が張られたキャップを嵌めて固定する一方、測定が終わった後はこれを取り外す等の構成としても良い。
【００２３】
本実施形態において、高分子膜４は、測定波長領域すなわち赤外光領域において透過性を有する物質であるとともに、セルに充填される液体及び間隙に充填される媒質層６のそれぞれに対し不溶又は溶解性が低い（難溶性）ものである。また、セル２に充填される液体が電解液３であって電解液中で起こる電気化学的挙動の分析を赤外分光測定によって行おうとする場合、この系において反応しないことが求められる。本装置１では、高分子膜４を用いることで、セル内に保持される電解液３が窓材５に対し高い溶解性を有している場合でも、窓材５が接触液体に溶解される虞が大きく抑制される。
【００２４】
本実施形態における高分子膜４の具体的な材質としては、測定において用いる液体、媒質層、窓材等によって適宜選択可能であり限定されるわけではないが、例えば、ポリプロピレン、ポリエステル、及びポリテトラフルオロエチレンの少なくともいずれかが好ましい。ただし、これらの高分子膜にも赤外吸収がある、具滝的にはポリプロピレンでは２８００〜３０００ｃｍ−１にＣＨ伸縮振動による吸収が、１３５０〜１５００ｃｍ−１にＣＨ変角振動による吸収が、ポリテトラフルオロエチレンでは１０００〜１２００ｃｍ−１にＣＦ伸縮振動による吸収が、それぞれあるため、測定の際、測定したい波数領域と重ならない高分子膜を適宜選択することが好ましい。
【００２５】
また本実施形態において、高分子膜４の膜厚は、高分子膜の種類に応じて適宜選択可能であり限定されるわけではないが、膜厚が薄すぎると、後述の作用極（電極）７を高分子膜４に押し付けた際に破れる可能性がある一方、厚すぎると、高分子膜４自体の赤外線吸収が強くなってしまうため、１μｍ以上１００μｍ以下であることが好ましく、より好ましくは１μｍ以上１０μｍ以下である。
【００２６】
また本実施形態において、セル内には測定の際、液体が注入される。測定対象は、液体を含んでいれば良く、液体試料そのものであっても、液体中に浸漬された固体試料、又は、液体中に補足された気体試料であっても良い。液体を注入することで、液体中に含有される測定対象物質の分析や、液体中に浸漬された被測定試料である固体試料又は固体試料表面に付着した化学種の分析、接触液体中に捕捉された被測定試料である気体の分析等が可能となる。
【００２７】
また本実施形態において、セル内に注入される液体としては、限定されるわけではないが電解液３であることは好ましい一例である。測定対象として電解液３を採用し、この電解液に電流を流すことで電気分解等を起こすことができ、これにより電気化学反応の場観察が可能となる。
【００２８】
なお本実施形態において、電解液３を用いる場合、分析目的に応じて適宜選択すればよく、限定されるわけではないが、例えば、水を溶媒にする場合には硫酸、過塩素酸、ＮａＯＨ等の酸アルカリ類、非水溶媒の場合にはプロピレンカーボネート、エチレンカーボネート等のカーボネート類、ラクトン類、エーテル類、ケトン類等の有機溶媒、又は、これら有機溶媒にＬｉＰＦ６、ＬｉＢＦ４、ＬｉＴＦＳＩ、ＬｉＣｌＯ４等の電解質支持塩を添加したものを例示することができる。
【００２９】
また本実施形態において、電解液３を用いる場合、セル２内に、作用極７、この作用極の周囲に配置された対極８、作用極７の電位を規定する参照極９を上記電解液３中に浸漬して配置させることが好ましい。これにより電解液３内に電流を流すことが可能となり、セル内において起こる電気化学反応の電気化学測定が可能となる。
【００３０】
本実施形態において作用極７は、電解液３との電子の授受を行うための電極であり、電気化学反応が進行する反応場である。作用極７を構成する材料及び作用極７の構造は、目的とする電気化学反応に応じて選択すればよく、例えばリチウム電極、白金電極、金電極、ニッケル電極、アルミ電極、チタン電極、銅電極等の金属電極のほか、グラファイト、グラッシーカーボン等の炭素電極、ＴｉＯ２、ＬｉＣｏＯ２、ＬｉＮｉＯ2、ＬｉＭｎ2Ｏ4、Ｌｉ7Ｔｉ5Ｏ12等の酸化物電極等を採用することができる。
【００３１】
本実施形態において作用極７は、外部の電源装置、例えばポテンショスタット、ガルバノスタット、周波数応答アナライザ（ＦＲＡ）、関数発生装置等に接続されていることが好ましい。これらを用いることで、例えばサイクリックボルタンメトリー、リニアスウィープボルタンメトリー、ポテンシャルステップ、ポテンシオメトリー、クロノアンペロメトリー、クーロメトリー等の直流分極測定やインピーダンス測定を行うことが可能となり、また、充放電装置等に接続し充放電挙動の観察等を行えば作用極表面の赤外分光測定と同時に作用極の電気化学測定を行うことができる。
【００３２】
また本実施形態において上記作用極の電極表面は、窓材５の底面と対向するように、高分子膜４に押し付けられて配置されている。ただし、作用極７と高分子膜４の間には押しつけた場合であっても、電解液３が入り込み薄膜が形成されるため、高分子膜４と作用極７は電解液３を介して対向した配置となっている。これにより、電気分解によって窓材５が溶解してしまう虞を防止することができる。
【００３３】
本実施形態において対極８は、観察しようとする作用極７に電流を流すことができれば、材質、形状等は特に限定されず、一般的なものを用いることができる。
【００３４】
また本実施形態において参照極９は、使用する電解液３内において作用極７の電位の基準となる安定な電位を示すものであればよく、標準水素電極（ＳＨＥ又はＮＨＥ）や、飽和カロメル電極（ＳＣＥ）、可逆水素電極（ＲＨＥ）、銀−塩化銀電極（Ａｇ／ＡｇＣｌ）、水銀／硫化水銀電極等、一般的な参照極の他、リチウム金属、銀線、白金線等を擬似参照極として用いることができる。
【００３５】
本実施形態における窓材５は、外部から入射される赤外線を測定試料に導くとともに、測定試料を通過したこの赤外線を外部に出射させるために配置される部材であり、赤外分光測定の測定波長領域において透過性を有する材料からなるものである。
【００３６】
本実施形態に係る窓材５の形状としては、上記機能を有する限りにおいて限定されず、プリズム等で採用されている一般的な形状、例えば、台形、半円柱、半球状等を挙げることができる。すなわち本赤外分光測定装置は、被測定試料へ赤外光を入射させ、該被測定試料からの反射光を出射する構造となっている。
【００３７】
本実施形態に係る窓材５の材質としては、観測したい物質の吸収波長に応じて適宜選択すればよく、上記機能を有する限りにおいて限定されるわけではないが、例えばＫＣｌ、ＮａＣｌ、ＫＢｒ、ＣａＦ２、ＢａＦ２、Ｓｉ、Ｇｅ、Ｚｎ、Ｓｅ、及びＫＲＳ−５の少なくともいずれかを含んで構成されていることが好ましい。
【００３８】
また本実施形態における媒質層６は、高分子膜４と対向して配置される窓材５の間隙に配置されるものであって、測定波長領域における赤外光透過性を有する物質であるとともに、高分子膜４と窓材５の屈折率の差を緩和するために用いられる層である。また本実施形態における媒質層６は、窓材５との界面における赤外光の全反射を防止する観点から、採用する窓材５と屈折率の近い、より好ましくは窓材５の屈折率と同等の屈折率を有するものであることが好ましい。更に、本実施形態における媒質層６は、窓材５及び高分子膜４を殆ど溶解しないものが採用される。なお、ここで媒質層６の屈折率としては、限定されるわけではないが、例えば赤外線の試料への入射角が６０度、窓材５、高分子膜４の屈折率を１とした場合、この媒質層６の屈折率は、０．８７以上である必要があり、好ましくは０．８７以上０．９５以下である。また、窓材がＣａＦ２であって、高分子膜４がポリエチレンである場合、屈折率の差が大きすぎて液体に赤外光が入る前に界面で反射してします虞があるが、この間にテトラクロロエチレンの媒質層６を挿入することで、この屈折率の差が緩和され、液体に赤外光を入射させることができる。この結果、従来の光学系の光路を変えることなく高感度、汚染の全くない環境下で広い測定波数領域を有する測定を実現できる。
【００３９】
本実施形態における媒質層６としては、窓材および高分子膜４の媒質液体に対する溶解性が不溶又は媒質液体に対する溶解性が低く、且つ、測定波長領域における赤外光透過性を有する物質であれば特に限定はなく、例えば、水、ヘキサン、四塩化炭素、ベンゼン、アセトン、エタノール、及びテトラクロロエチレンの少なくともいずれかを含むことが好ましく、更に、窓材がＣａＦ２、ＢａＦ２である場合は媒質層が水であること、窓材がＫＣｌ、ＮａＣｌである場合は媒質がヘキサン、四塩化炭素、ベンゼン、アセトン、エタノール、テトラクロロエチレンの少なくともいずれかであることが好ましい。
【００４０】
本実施形態における媒質層６の厚さは、上記機能を有する限りにおいて限定されるわけではないが、例えば１０μｍ以下であることが好ましく、より好ましくは１μｍ以上３μｍ以下である。１μｍ以上とすることで上記高分子膜４と窓材５の屈折率差を緩和し十分に試料中に光を入射させることができる一方、３μｍ以下とすることで媒質による赤外線の吸収を抑え、測定への影響を少なくすることができる。なお、媒質層６の厚さを確保する方法としては、特に限定されるわけではないが、十分に薄くてよい場合は、特にスペーサーを設けることなく媒質層６を窓材５に塗布し、その上にそのままセル２の高分子膜４を直接静置するだけでもよい。実際媒質層６が存在する場合、押しつけただけでも窓材５と高分子膜４が直接張りつくことなく媒質層６の薄膜が存在し、上記厚さを確保することができる。なお厚さをより正確に保持したい場合は、スペーサーを配置し、このスペーサー上にセルを配置する一方このスペーサー、窓材５、高分子膜４により囲まれる領域に媒質層６を注入等させて保持させてもよい。
【００４１】
また、本実施形態に係る赤外分光測定装置には、赤外光を被測定試料に入射し、被測定試料から反射される反射光を採光する光学系が付されている。光学系は、この機能を有する限りにおいて限定されるわけではないが、例えば、赤外光を発する光源と、光源が発する赤外光を平行光、収束光にするためのレンズや反射鏡やスリット等の光学部材と、を適宜組み合わせることで実現できる。赤外光の入射角、入射位置、光束径、偏光等は、赤外分光測定の目的等に応じて適宜選択すればよい。
【００４２】
なお、本実施形態において、上記測定対象が電解液である場合において、電気化学測定による特定の信号に同期して赤外光が発射されるように光学系を設定すれば、電気化学測定に赤外分光測定をシンクロさせることができ、例えば、特定の電位や電流値における電極表面の観察等が可能となる。なお電気化学測定の特定の信号に赤外光の発射を同期させる方法としては、例えば、予め、目的とする電極反応や副反応が進行する又は進行すると推測される電位を調べておき、作用極の電位がその値になったら赤外光を発射し、スペクトルを測定するように設定する方法を挙げることができる。
【００４３】
また本実施形態に係る赤外分光測定装置には、上記光学系に、更に、反射光のスペクトルを得る赤外分光器が付されている。反射光のスペクトルを得る分光器（検出器）としては限定されるわけではないが、例えば、ＭＣＴ検出器、ＴＧＳ検出器、ＩｎＧａＡｓ検出器、ＰｂＳｅ検出器等が挙げられる。
【００４４】
ここで、本装置を用いた赤外分光測定方法（以下「本方法」という。）について説明する。本方法は、枠材と高分子膜４によって形成されるセル２と、セル２の高分子膜４と間隙を設けて配置される窓材５と、間隙に充填された高分子膜４に対する溶解度の小さい媒質層６と、電気化学内セルに設けられる作用極７、参照極９及び対極８を有する赤外分光測定装置１のセル２に液体を充填し、窓材５から赤外光を入射し、出射する反射光を受光して分光測定を行う。
【００４５】
本方法では、作用極７の電極表面と電解液３との界面には、赤外光源（図示せず）からの赤外光が、窓材５、媒質層６、高分子膜４を介して赤外反射スペクトル測定を可能とする入射角で入射される。赤外光は上記界面において反射され、その反射光は高分子膜４、媒質層６、窓材５を介して出射され、赤外分光器の検出器（図示せず）によってスペクトルが測定される。反射光のスペクトル測定により、作用極７表面をその場観察し、作用極表面における電気化学挙動を分析することができる。具体的には、作用極７の電極表面の化学種を分析することができる。ここで、電極表面の化学種とは、電極表面に吸着した化学種の他、電極表面に吸着することなく作用電極と電解液の界面近傍に浮遊しているものも含まれ、電極反応における反応生成物や反応中間体、反応副生成物等が挙げられる。この結果、作用極における電極反応機構の解明や、電極反応の副反応の解明、電極構造の最適化等が可能となる。
【００４６】
また本装置は、上記の窓材５、高分子膜４、媒質層６を組み合わせて用いることで、従来では、窓材の赤外光透過性が低いために測定することが不可能だった波長領域（例えば、ＣａＦ２の場合１１００ｃｍ−１以下、ＢａＦ２の場合８００ｃｍ−１以下の波長領域）にスペクトルを有する電極反応やその副反応等を測定、観察することができる。燃料電池に使用されている白金触媒の酸化物形成などの電気化学挙動を正確に且つ再現性良く分析することが可能である。
【００４７】
特に、本装置では、窓材５が接触する接触液体に対して、窓材５が高い溶解性を有する場合であっても、高分子膜４を採用することでセル中の液体と分離させることができるため、窓材５が溶解する虞が極めて少なくなる。この結果、接触液体に対する溶解性を考慮せずに窓材材料の選択を行うことができるようになり、測定対象である被測定試料やその電気化学的挙動、及び採用する赤外反射分光測定方法に対して、適した屈折率及び波長透過域を有しているものの、接触液体に対する溶解性が高いために測定感度や測定信頼性に問題が生じていた窓材を使用しても、優れた感度及び信頼性のある赤外反射分光測定が可能となった。更に、この高分子膜４と窓材５の間に媒質層６を設けることでこの間隙に存在する屈折率の差（空気が存在する場合は空気の屈折率とそれぞれの屈折率の差）を防ぎ、この界面における反射を防ぐことが可能となり、特に優れた感度及び信頼性のある赤外反射分光測定が可能となる。
【００４８】
以上、本実施形態によれば、窓材５を液体に接触させて使用する赤外分光測定装置１において、従来の光学系の光路を変えることなく、窓材５と液体とを非接触にすることにより窓材５の溶解を抑制し、測定感度及び測定信頼性を向上させた赤外分光測定装置１、赤外分光測定方法を提供できる。本装置１による測定感度及び測定信頼性の向上効果は、電気化学反応をその場測定する電気化学赤外分光測定装置において、特に高い効果を発揮する。
【００４９】
なお本実施形態では図１を用いて詳細に説明しているが、赤外分光測定装置これに限定されるものではなく、様々な赤外分光法、例えば、全反射法、高感度反射法等を採用し、各法に応じた構成にすることができる。必要時応じて、回転偏光子等の赤外光偏光手段、偏光変調高感度反射法等を組み込んでもよい。
【実施例】
【００５０】
ここで、上記実施形態に係る赤外分光測定装置を実際に作成し、本発明の効果について確認を行った。以下説明する。
【００５１】
まず、ＺｎＳｅ製の窓材（屈折率：２．４）の底面に、媒質溶液として純水、高分子膜としてポリプレピレン膜（膜厚６μｍ）で覆った。一酸化炭素が吸着したＰｔ（１１１）電極（作用極）の赤外反射吸収分光の結果を図２に示す。電解質溶液は０．１Ｍ  ＨＦ溶液を用いており、試料電位は０．３ＶｖｓＲＨＥで測定後、一酸化炭素が表面から酸化した０．８ＶｖｓＲＨＥを参照電位で測定後に、差スペクトルとしてものである。
【００５２】
この結果、図２に示すように、２０７３ｃｍ−１に試料電位においてＰｔ表面に吸着した一酸化炭素のＣＯ伸縮振動が観測された。また２０７３ｃｍ−１に参照電位において一酸化炭素が酸化し生成した二酸化炭素のＣＯ逆対称伸縮振動が観測された。この結果は、通常ＺｎＳｅ製の窓材は酸性溶液中においてＺｎイオンおよびＳｅイオンが溶出し電極表面を汚染してしまうところ、本実施例に係る赤外分光測定装置を用いることで、高分子膜により窓材と電解質溶液とを接触させず、窓材による汚染を防ぎ、測定感度及び測定信頼性を向上させることができるのを確認した。
【産業上の利用可能性】
【００５３】
本発明は、赤外分光測定装置及びそれを用いた赤外分光測定方法として産業上の利用可能性がある。
【符号の説明】
【００５４】
１…赤外分光測定装置
２…セル
３…電解液
４…高分子膜
５…窓材
６…媒質層
７…作用極
８…対極
９…参照極
【図１】
2013217751.tif 000003
【図２】
2013217751.tif 000004